(57)【要約】【課題】自動積みしたコアブロックを吊り上げて組み立て場所に移動させて固定子コアを組み立てることができる。【解決手段】３個以上のスルーボルト穴２が設けられたコア抜き板を積層したコアブロック１を底面側のスルーボルト穴の周囲に所定の空間８ｇができるように水平に置くステップ、棒状部３１とこの棒状部の一端に棒状部にほぼ直交する舌形部３２を有するコアブロック吊り上げ治具３を舌形部が下になるようにスルーボルト穴に上から挿入するステップ、空間に舌形部が入り舌形部がコアブロックの底面に係合するようにスルーボルト穴に挿入したコアブロック吊り上げ治具を水平方向に移動させるステップ、スルーボルト穴に挿入されたすべてのコアブロック吊り上げ治具の舌形部がコアブロックの底面１００に係合する状態でコアブロック吊り上げ治具を上方に移動させることによりコアブロックを吊り上げるステップを有す。【選択図】図１
2010022090.tif 000002
【特許請求の範囲】
【請求項１】
３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、前記スルーボルト穴に挿入されたすべての前記コアブロック吊り上げ治具の前記舌形部が前記コアブロックの底面に係合する状態ですべての前記コアブロック吊り上げ治具を上方に移動させることにより前記コアブロックを吊り上げるステップを有するコアブロックの吊り上げ方法。
【請求項２】
請求項１に記載のコアブロックの吊り上げ方法において、前記コアブロック吊り上げ治具が前記棒状部を囲む筒状ガイドを有するものであり、前記コアブロック吊り上げ治具を水平方向に移動させるステップで前記筒状ガイドの外周面が前記スルーボルト穴の周壁面に接するようにすることを特徴とするコアブロックの吊り上げ方法。
【請求項３】
請求項１または請求項２に記載のコアブロックの吊り上げ方法において、前記コアブロック吊り上げ治具の前記舌形部がない端が円盤状台版の前記スルーボルト穴に対応する位置に垂直に前記舌形部が周方向の同じ側に向くように取付けられており、コアブロック吊り上げ治具を水平方向に移動させるステップで前記円盤状台板を周方向に回動させることを特徴とするコアブロックの吊り上げ方法。
【請求項４】
３個以上のスルーボルト穴が設けられたコア抜き板を積層したコアブロックを吊り上げるコアブロック吊り上げ装置であって、
棒状部とこの棒状部の一端に前記棒状部にほぼ直交するように設けられた舌形部を有する前記スルーボルト穴と同じ個数のコアブロック吊り上げ治具と、このコアブロック吊り上げ治具の前記舌形部がない端が前記舌形部が周方向の同じ側に向くようにかつ垂直に前記スルーボルト穴と対応する位置に取付けられた円盤状台板とを備えたコアブロック吊り上げ装置。
【発明の詳細な説明】
【技術分野】
【０００１】
この発明はタービン発電機などの大型回転電機等のコアブロックの吊り上げ方法およびコアブロック吊り上げ装置に関するものである。
【背景技術】
【０００２】
図４は従来の大型回転電機の固定子コア積み装置を用いた固定子コア積み作業を模式的に説明する側面断面図である。大型回転電機の固定子コア積み設備における固定子コア積み作業は、図４に示すように、固定子フレーム部材９の内周に固定されたコアボルト１０に沿って下方から上方に向かって、扇形状の薄い鋼板からなる多数枚の固定子コア抜き板１１が順次積層される。具体的には、扇形状の薄い鋼板からなる多数枚の積層前の固定子コア抜き板１２を、クレーンで吊り下げ、この吊り下げられた積層前の固定子コア抜き板１２をコア積み作業者１３が手作業でコアボルト１０に沿って下方から上方に向かって順次積層していく。
【０００３】
【特許文献１】特開昭６０−１６１５４号公報（第６図及びその説明）
【特許文献２】特開２００２−１７１７２６号公報（図８及びその説明）
【発明の開示】
【発明が解決しようとする課題】
【０００４】
前述のような従来の固定子コア積み作業は、回転電機固定子コア組立作業として行われ、コア積み作業者１３は手作業により固定子コア抜き板１２を１枚ずつ何万枚も積み上げることで固定子コアを組み立てるという重筋作業をしいられており、厳しい作業環境におかれるという問題があった。
【０００５】
この発明は、前述のような実情に鑑みてなされたもので、自動積みしたコアブロックを吊り上げて組み立て場所に移動させて固定子コアを組み立てることを可能にするコアブロックの吊り上げ方法およびコアブロック吊り上げ装置を提供することを目的とするものである。
【課題を解決するための手段】
【０００６】
この発明に係るコアブロックの吊り上げ方法は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、前記スルーボルト穴に挿入されたすべての前記コアブロック吊り上げ治具の前記舌形部が前記コアブロックの底面に係合する状態ですべての前記コアブロック吊り上げ治具を上方に移動させることにより前記コアブロックを吊り上げるステップを有するものである。
【０００７】
また、この発明に係るコアブロック吊り上げ装置は、３個以上のスルーボルト穴が設けられたコア抜き板を積層したコアブロックを吊り上げるコアブロック吊り上げ装置であって、棒状部とこの棒状部の一端に前記棒状部にほぼ直交するように設けられた舌形部を有する前記スルーボルト穴と同じ個数のコアブロック吊り上げ治具と、このコアブロック吊り上げ治具の前記舌形部がない端が前記舌形部が周方向の同じ側に向くようにかつ垂直に前記スルーボルト穴と対応する位置に取付けられた円盤状台板とを備えたものである。
【発明の効果】
【０００８】
この発明は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、前記スルーボルト穴に挿入されたすべての前記コアブロック吊り上げ治具の前記舌形部が前記コアブロックの底面に係合する状態ですべての前記コアブロック吊り上げ治具を上方に移動させることにより前記コアブロックを吊り上げるステップを有しているので、自動積みしたコアブロックを吊り上げて組み立て場所に移動させて固定子コアを組み立てることができる効果がある。
【０００９】
また、この発明は、３個以上のスルーボルト穴が設けられたコア抜き板を積層したコアブロックを吊り上げるコアブロック吊り上げ装置であって、棒状部とこの棒状部の一端に前記棒状部にほぼ直交するように設けられた舌形部を有する前記スルーボルト穴と同じ個数のコアブロック吊り上げ治具と、このコアブロック吊り上げ治具の前記舌形部がない端が前記舌形部が周方向の同じ側に向くようにかつ垂直に前記スルーボルト穴と対応する位置に取付けられた円盤状台板とを備えているので、自動積みしたコアブロックを吊り上げて組み立て場所に移動させて固定子コアを組み立てることができる効果がある。
【発明を実施するための最良の形態】
【００１０】
実施の形態１．
以下、この発明の実施の形態１を図１により説明する。図１は固定子コアのブロック吊り上げ方法の概念を模式的に例示する斜視図である。本実施の形態１は、固定子コアのコアバック部に設けたスルーボルト穴を利用して、固定子コア抜き板をブロック状に積み上げたコアブロックを、コアブロック吊り上げ治具により吊り上げる固定子コア吊り上げ方法および吊り上げ装置を例示するものである。また、本実施の形態１は、手作業による固定子コア積み作業を廃止して自動積みを実現するために導入する固定子コア自動積み装置を用いて積層したコアブロックを順次積み上げて固定子コアを組み立てるために、固定子コア抜き板のスルーボルト穴を利用して固定子コア組立作業場所にコアブロックを吊り上げて輸送するために、コアブロック吊り上げ治具を用いたコアブロック吊り上げ方法および吊り上げ装置を提供するものである。
【００１１】
図１において、コアブロック１は、円周に沿って等間隔に穿設された３個以上の複数のスルーボルト穴２を有する固定子コア抜き板を、周知の固定子コア自動積み装置（図示省略）を用いて所定数積層された固定子コア抜き板積層体である。コアブロック１を構成する各固定子コア抜き板のスルーボルト穴２はそれぞれ重合し、コアブロック１の上面から下面まで貫通する一続きのスルーボルト穴２を構成している。このコアブロック１の上面から下面まで貫通する一続きのスルーボルト穴２は、コアブロック１の円周に沿って等間隔に３個以上の複数個存在する。
【００１２】
コアブロック１の所定間隔の３個以上の複数のスルーボルト穴２の各々にコアブロック吊り上げ治具３が挿通される。
【００１３】
スルーボルト穴の各々に挿通されるコアブロック吊り上げ治具３は、図示のように、何れも棒状部３１と、この棒状部３１の先端に棒状部３１と一体をなして棒状部３１とほぼ直交するように設けられた舌形部３２とからなるＬ字形の治具である。
【００１４】
各治具３の棒状部３１の長さは、コアブロック１のスルーボルト穴２の長さより長い。また、各治具３の棒状部３１の少なくともスルーボルト穴２の内周壁に接する面は湾曲面とすることで、棒状部３１が対応スルーボルト穴２の内周壁に当接した場合にも当該内周壁が損傷しにくいようにしてある。
【００１５】
３個以上の複数個のコアブロック吊り上げ治具３は、それらの舌形部３２にてコアブロック１の質量を共同で保持し当該コアブロック１を共同で吊り上げ冶具を示したものである。
【００１６】
図４に示す従来の固定子コア積み装置を用いた固定子コア積み作業では、固定子コア抜き板１１を一枚づつ何万枚もコア積み作業者１３が手作業により積み上げており、コア積み作業者１３は重筋作業をしいられていた。
【００１７】
このような問題点に対し、図１では、コア自動積み装置（図示省略）を用いて積層されたコアブロック１のスルーボルト穴２（積み上げられた複数のコアブロック１を、固定子フレームの端板にボルト締めするボルトを挿通する穴）を利用して、コアブロック１の質量を均等に受けるように、等間隔に位置する３個以上のスルーボルト穴２の各々にコアブロック吊り上げ治具３を挿入して、コアブロック吊り上げ治具３の先端の舌形部３２を、コアブロック１の最下層の底面に半径方向放射状に設けたダクトピース８（図２に図示）間の空間部８ｇ（図２に図示）において引っ掛け、各々のコアブロック吊り上げ治具３を同時に上方に引き上げることにより、コアロック１を吊り上げて、固定子コア組立場所にクレーン等で自動的に輸送し、固定子コア組立場所で、各々のコアブロック吊り上げ治具３を同時に下方に下降させ、固定子のフレーム内にコアブロック１を積み上げる一連の作業の自動化が可能となる。固定子コア自動積み装置を用いたコアブロック積み工法が実現でき、作業者を重筋作業から解放することが可能となる。
【００１８】
本実施の形態１は、前述のように、固定子コアを軸方向に締め付けるためのスルーボルト挿入穴をコアバック部に備えた鋼板、鋼板をブロック状に積み上げたコアブロック、コアブロック内において固定子コアを冷却するために固定子コアの積層方向位置に設けたダクトピース、先端に舌形部を有しコアブロック質量を保持できるＬ字型のコアブロック吊り上げ治具とを備え、コアブロック吊り上げ治具をコアブロックのスルーボルト穴に挿入するとともにコアブロック吊り上げ治具の先端舌形部をコアブロック最下層に位置するダクトピース部の隙間に引っ掛けて吊り上げることで、自動積みしたコアブロックを吊り上げて組み立て場所に移動させて固定子コアを組み立てることができるものである。
【００１９】
本実施の形態１は、観点を変えると、水平状態のコアブロックの等間隔の３個以上のスルーボルト穴の各々に、棒状部と舌形部とからなるＬ字形のコアブロック吊り上げ治具を挿入し、挿入後に前記各コアブロック吊り上げ治具を水平方向に移動して前記各コアブロック吊り上げ治具の前記舌形部を前記コアブロックの底面に係合した状態で前記各コアブロック吊り上げ治具を上方に移動させるので、自動積みしたコアブロックを吊り上げて組み立て場所に移動させて固定子コアを組み立てることができるコアブロックの吊り上げ方法およびコアブロック吊り上げ装置である。
【００２０】
更に具体的には、本実施の形態１は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、すべての前記スルーボルト穴に挿入された前記コアブロック吊り上げ治具の前記前記舌形部が前記コアブロックの底面に係合する状態ですべての前記コアブロック吊り上げ治具を上方に移動させることにより前記コアブロックを吊り上げるステップを有するコアブロックの吊り上げ方法である。
【００２１】
また、本実施の形態１は、３個以上のスルーボルト穴が設けられたコア抜き板を積層したコアブロックを吊り上げるコアブロック吊り上げ装置であって、棒状部とこの棒状部の一端に前記棒状部にほぼ直交するように設けられた舌形部を有する前記スルーボルト穴と同じ個数のコアブロック吊り上げ治具と、このコアブロック吊り上げ治具の前記舌形部がない端が前記舌形部が周方向の同じ側に向くようにかつ垂直に前記スルーボルト穴と対応する位置に取付けられた円盤状台板とを備えたコアブロック吊り上げ装置である。
【００２２】
実施の形態２．
以下、この発明の実施の形態２を図２により説明する。図２は固定子コアのブロック吊り上げ方法の要部の具体例を一部断面で示す側面図である。本実施の形態２も、固定子コアのコアバック部に設けたスルーボルト穴を利用して、固定子コア抜き板をブロック状に積み上げたコアブロックを、コアブロック吊り上げ治具により吊り上げる固定子コア吊り上げ方法および吊り上げ装置を例示するものであり、また、手作業による固定子コア積み作業を廃止して自動積みを実現するために導入する固定子コア自動積み装置を用いて積層したコアブロックを順次積み上げて固定子コアを組み立てるために、固定子コア抜き板のスルーボルト穴を利用して固定子コア組立作業場所にコアブロックを吊り上げて輸送するために、コアブロック吊り上げ治具を用いたコアブロック吊り上げ方法および吊り上げ装置を提供するものである。また、本実施の形態２は、固定子コアのコアブロックを持ち上げる際に、コアブロック吊り上げ治具がスルーボルト穴の中で移動してコアブロックを保持できなくなり、コアブロックにずれが生じることを抑制するために、コアブロック吊り上げ治具とコアブロックの間に円筒状の断面を有したガイドを設置するようにしたものであり、コアブロックをコアブロック吊り上げ冶具の先端の舌形部でコアブロックの底をひっかけ吊り上げる際に、円筒断面のガイドをスルーボルト穴に接触させることで、コアブロックのずれによる固定子コアの不揃い(凹凸)を抑えることを可能とするものである。
【００２３】
図２は、図１のコアブロック吊り上げ冶具３の一つをコアブロック１の縦断側面より見た断面図である。
【００２４】
図２において、コアブロック吊り上げ治具３の棒状部３１の周囲を囲む円筒状のガイド５が、コアブロック吊り上げ治具３を介してコアブロック１上部で吊り上げ治具固定用台板６に固定されている。コアブロック吊り上げ治具３の棒状部３１の上端部（舌形部３２と反対側の端部）には雄螺子３１１が形成され、雄螺子（螺合子）３１１に螺合する上下一対のナット（螺合子）７１，７２によりコアブロック吊り上げ治具３は吊り上げ治具固定用台板６に固定され、当該固定により、円筒状のガイド５も下側のナット７２と舌形部３２との間に介在し棒状部３１を囲繞した状態に固定される。
なお、下側のナット７２は、必ずしもナット（螺合子）である必要はなく、棒状部３１と一体のフランジ、ボス等としてもよい。
【００２５】
各治具３の舌形部３２の底面の長さはスルーボルト穴２の直径より短くしてある。また、各治具３の舌形部３２の厚さｔ１は、コアブロック１の最下層の底面100に対向して半径方向放射状に設けられた複数のダクトピース（間隔片）８の厚さｔ２より薄くしてある。つまり、舌形部３２の厚さｔ１とダクトピース８の厚さｔ２との大小関係はｔ１＜ｔ２としてある。
【００２６】
前段の段落［００２４］［００２５］に記載の構成は、図１に図示の３個以上の複数個のコアブロック吊り上げ治具３の全てに共通の構成としてある。
【００２７】
コア自動積み装置（図示省略）を用いて積層されたコアブロック１のスルーボルト穴２（積み上げられた複数のコアブロック１を、固定子フレームの端板にボルト締めするボルトを挿通する穴）を利用して、コアブロック１の質量を均等に受けるように、等間隔に位置する３個以上のスルーボルト穴２の各々にコアブロック吊り上げ治具３を挿入して、各コアブロック吊り上げ治具３の先端の舌形部３２を、コアブロック１の最下層の底面100に対向して半径方向放射状に設けられた複数のダクトピース（間隔片）８間の空間部８ｇにおいて前記底面100に引っ掛け、コアブロック吊り上げ治具３を上方に引き上げることにより、コアブロック１を吊り上げて、固定子コア組立場所にクレーン等で自動的に輸送し、固定子コア組立場所で、各々のコアブロック吊り上げ治具３を同時に下方に下降させ、固定子のフレーム内にコアブロック１を積み上げる一連の作業の自動化が可能となる。
【００２８】
コアブロック吊り上げ治具３の先端の舌形部３２を引っ掛けてコアブロック１を吊り上げる際に、円筒状ガイド５の円筒状外周面５１をスルーボルト穴２の周面２１に接触させてコアブロック１の上部で吊り上げ治具用台板６により円筒状ガイド５を固定することで、コアブロック１を構成する層状に積層された複数枚の固定子コア抜き板のずれによる固定子コアの不揃い(凹凸)を抑えることを実現することができる。
【００２９】
本実施の形態２は、前述のように、固定子コアを軸方向に締め付けるためのスルーボルト挿入穴をコアバック部に備えた鋼板、鋼板をブロック状に積み上げたコアブロック、コアブロック内において固定子コアを冷却するために固定子コアの積層方向位置に設けたダクトピース、先端に舌形部を有しコアブロック質量を保持できるＬ字型のコアブロック吊り上げ治具とを備えたコア積み装置において、コアブロック吊り上げ治具をコアブロックのスルーボルト穴に挿入するとともにコアブロック吊り上げ治具の先端舌形部をコアブロック最下層に位置するダクトピース部の隙間に引っ掛けて吊り上げることで、コアブロックを輸送する固定子コアの吊り上げ方法であり固定子コアの吊り上げ装置であり、更には、固定子コアのコアブロックを持ち上げる際に、コアブロック吊り上げ治具がスルーボルト穴の中で移動してコアブロックを保持できなくなりコアブロックのずれによる固定子コアの不揃いが生じることを抑制するために、コアブロック吊り上げ治具とコアブロックの間に円筒状の断面を有したガイドを設置してあるコアブロックの吊り上げ方法およびコアブロック吊り上げ装置である。
【００３０】
本実施の形態２は、観点を変えると、水平状態のコアブロックの等間隔の３個以上のスルーボルト穴の各々に、棒状部と舌形部とからなるＬ字形のコアブロック吊り上げ治具を挿入し、挿入後に前記各コアブロック吊り上げ治具を水平方向に移動して前記各コアブロック吊り上げ治具の前記舌形部を前記コアブロックの底面に係合した状態で前記各コアブロック吊り上げ治具を上方に移動させることにより前記コアブロックを吊り上げる回転電機の固定子コア吊り上げ方法において、前記各コアブロック吊り上げ治具の各々に、前記棒状部を囲繞する筒状ガイドを配設し、前記各コアブロック吊り上げ治具を水平方向に移動することにより前記スルーボルト穴の周壁面に前記筒状ガイドの外周面が接するようにする回転電機のコアブロックの吊り上げ方法である。
【００３１】
具体的には、本実施の形態２は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、すべての前記スルーボルト穴に挿入された前記コアブロック吊り上げ治具の前記前記舌形部が前記コアブロックの底面に係合する状態ですべての前記コアブロック吊り上げ治具を上方に移動させることにより前記コアブロックを吊り上げるステップを有するコアブロックの吊り上げ方法において、前記コアブロック吊り上げ治具が前記棒状部を囲む筒状ガイドを有するものであり、前記コアブロック吊り上げ治具を水平方向に移動させるステップで前記筒状ガイドの外周面が前記スルーボルト穴の周壁面に接するようにするコアブロックの吊り上げ方法である。
【００３２】
実施の形態３．
以下、この発明の実施の形態３を図３により説明する。図３は固定子コアのブロック吊り上げ方法の他の概念を模式的に例示する斜視図である。本実施の形態３も、固定子コアのコアバック部に設けたスルーボルト穴を利用して、固定子コア抜き板をブロック状に積み上げたコアブロックを、コアブロック吊り上げ治具により吊り上げる固定子コア吊り上げ方法および吊り上げ装置を例示するものであり、また、手作業による固定子コア積み作業を廃止して自動積みを実現するために導入する固定子コア自動積み装置を用いて積層したコアブロックを順次積み上げて固定子コアを組み立てるために、固定子コア抜き板のスルーボルト穴を利用して固定子コア組立作業場所にコアブロックを吊り上げて輸送するために、コアブロック吊り上げ治具を用いたコアブロック吊り上げ方法および吊り上げ装置を提供するものである。また、本実施の形態３は、円盤状の台板に円周方向に複数のコアブロック吊り上げ治具を配置して、コアブロックのスルーボルト穴にコアブロック吊り上げ治具を挿入した状態で、円盤を円周方向に回転させることで、円周方向に配置された複数のコアブロック吊り上げ治具を一度でコアブロックに引っ掛けて装着するようにしたものである。
【００３３】
図３において、円盤状台板６に、その円周方向に、コアブロック１の各スルーボルト穴２と同位置に各コアブロック吊り上げ治具３が間隔を隔てて取り付けられている。
【００３４】
円盤状台板６の下面に取り付けられた各コアブロック吊り上げ冶具３を、コアブロック１の対応するスルーボルト穴２に通して、円盤状台板６を円周方向に回転させて各コアブロック吊り上げ治具３の先端の各舌形部３２をコアブロック１の底面100に引っ掛けることで、コアブロック吊り上げ冶具３によりコアブロック１を吊り上げることを実現する構造である。
【００３５】
例えば、図３において、円盤状台板６を周方向に時計回りに回転させることで、円盤状台板６に取り付けられた３個以上の複数個のコアブロック吊り上げ冶具３の先端の各舌形３２がコアブロック１の底面100に一挙にひっかかり、その状態でコアブロック１を吊り上げることが可能である。また、３個以上の複数個のコアブロック吊り上げ冶具３をコアブロック１から取り外す際には、図３において、円盤状台板６を周方向に反時計回りで回転させ、複数個のコアブロック吊り上げ冶具３をまとめて一度に取り外すことが可能となり、コアブロック吊り上げ治具３のコアブロック１への取り付け取り外しの作業性が改善される。
【００３６】
本実施の形態３は、前述のように、固定子コアを軸方向に締め付けるためのスルーボルト挿入穴をコアバック部に備えた鋼板、鋼板をブロック状に積み上げたコアブロック、コアブロック内において固定子コアを冷却するために固定子コアの積層方向位置に設けたダクトピース、先端に舌形部を有しコアブロック質量を保持できるＬ字型のコアブロック吊り上げ治具とを備え、コアブロック吊り上げ治具をコアブロックのスルーボルト穴に挿入するとともにコアブロック吊り上げ治具の先端の舌形部をコアブロック最下層に位置するダクトピース部の隙間に引っ掛けて吊り上げることで、コアブロックを輸送するコアブロックの吊り上げ方法およびコアブロック吊り上げ装置であり、更には、円盤状台板に円周方向に複数のコアブロック吊り上げ治具を配置し、吊り上げ治具の先端舌形部を円周方向同一方向に向け、コアブロックのスルーボルト穴にコアブロック吊り上げ治具を挿入した状態で、円盤状台板を円周方向に回転させることで、円周方向に配置された複数のコアブロック吊り上げ治具の先端舌形部を一度にまとめてコアブロックに引っ掛けて装着することを特徴とするコアブロックの吊り上げ方法およびコアブロック吊り上げ装置である。
【００３７】
本実施の形態３は、観点を変えると、水平状態のコアブロックの等間隔の３個以上のスルーボルト穴の各々に、棒状部と舌形部とからなるＬ字形のコアブロック吊り上げ治具を挿入し、挿入後に前記各コアブロック吊り上げ治具を水平方向に移動して前記各コアブロック吊り上げ治具の前記舌形部を前記コアブロックの底面に係合した状態で前記各コアブロック吊り上げ治具を上方に移動させることにより前記コアブロックを吊り上げる回転電機のコアブロックの吊り上げ方法において、前記各コアブロック吊り上げ治具を共通の円盤状台板に取り付け、当該円盤状台板をその周方向に回動することによって、前記各コアブロック吊り上げ治具の前記舌形部を前記コアブロックの底面に係合させる回転電機のコアブロックの吊り上げ方法である。
【００３８】
また、更に観点を変えると、本実施の形態３の回転電機のコアブロックの吊り上げ方法およびコアブロック吊り上げ装置は、円盤状台板、およびこの円盤状台板に等間隔に３個以上取り付けられ夫々先端部に舌形部を有するＬ字状のコアブロック吊り上げ治具を備えているので、水平状態のコアブロックの等間隔の３個以上のスルーボルト穴の各々に、棒状部と舌形部とからなるＬ字形のコアブロック吊り上げ治具を挿入し、挿入後に前記各コアブロック吊り上げ治具を水平方向に移動して前記各コアブロック吊り上げ治具の前記舌形部を前記コアブロックの底面に係合した状態で前記各コアブロック吊り上げ治具を上方に移動させることで、自動積みしたコアブロックを吊り上げて組み立て場所に移動させて固定子コアを組み立てることができるものである。
【００３９】
また、具体的には、本実施の形態３は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、すべての前記スルーボルト穴に挿入された前記コアブロック吊り上げ治具の前記前記舌形部が前記コアブロックの底面に係合する状態ですべての前記コアブロック吊り上げ治具を上方に移動させることにより前記コアブロックを吊り上げるステップを有するコアブロックの吊り上げ方法において、前記コアブロック吊り上げ治具の前記舌形部がない端が円盤状台版の前記スルーボルト穴に対応する位置に垂直に前記舌形部が周方向の同じ側に向くように取付けられており、コアブロック吊り上げ治具を水平方向に移動させるステップで前記円盤状台板を周方向に回動させるコアブロックの吊り上げ方法である。
【００４０】
また、具体的には、本実施の形態３は、３個以上のスルーボルト穴が設けられたコア抜き板を積層したコアブロックを底面側の前記スルーボルト穴の周囲に所定の空間ができるように水平に置くステップ、棒状部とこの棒状部の一端に前記棒状部にほぼ直交するように設けられた舌形部を有するコアブロック吊り上げ治具を前記舌形部が下になるように前記スルーボルト穴に上から挿入するステップ、前記空間に前記舌形部が入り前記舌形部が前記コアブロックの底面に係合するように前記スルーボルト穴に挿入した前記コアブロック吊り上げ治具を水平方向に移動させるステップ、すべての前記スルーボルト穴に挿入された前記コアブロック吊り上げ治具の前記前記舌形部が前記コアブロックの底面に係合する状態ですべての前記コアブロック吊り上げ治具を上方に移動させることにより前記コアブロックを吊り上げるステップを有するコアブロックの吊り上げ方法において、前記コアブロック吊り上げ治具が前記棒状部を囲む筒状ガイドを有するものであり、前記コアブロック吊り上げ治具を水平方向に移動させるステップで前記筒状ガイドの外周面が前記スルーボルト穴の周壁面に接するようにし、さらに前記コアブロック吊り上げ治具の前記舌形部がない端が円盤状台版の前記スルーボルト穴に対応する位置に垂直に前記舌形部が周方向の同じ側に向くように取付けられており、コアブロック吊り上げ治具を水平方向に移動させるステップで前記円盤状台板を周方向に回動させるコアブロックの吊り上げ方法である。
【００４１】
なお、各図中、同一符合は同一または相当部分を示す。
【図面の簡単な説明】
【００４２】
【図１】この発明の実施の形態１を示す図で、大型回転電機のコアブロック吊り上げ方法およびコアブロック吊り上げ装置の概念を模式的に例示する斜視図である。
【図２】この発明の実施の形態２を示す図で、大型回転電機のコアブロック吊り上げ方法およびコアブロック吊り上げ装置の要部の具体例を一部断面で示す側面図である。
【図３】この発明の実施の形態３を示す図で、大型回転電機のコアブロック吊り上げ方法およびコアブロック吊り上げ装置の他の概念を模式的に例示する斜視図である。
【図４】従来の回転電機の固定子コア積み装置を用いた固定子コア積み方法の概念図である。
【符号の説明】
【００４３】
１    コアブロック、
100    コアブロックの底面、
２    スルーボルト穴、
２１    スルーボルト穴の周面、
３    コアブロック吊り上げ治具、
３１    コアブロック吊り上げ治具の棒状部、
３１１    雄螺子、
３２    吊り上げ治具先端の舌形部、
５    円筒状のガイド、
５１    円筒状のガイドの円筒状外周面、
６    吊り上げ治具固定用台板（円盤状台板）、
７１１，７１２    ナット（螺合子）、
８    ダクトピース、
８ｇ    ダクトピース間の空間部、
９    固定子フレーム、
１０  コアボルト、
１１  固定子コア抜き板、
１２  積層前の固定子コア抜き板、
１３  コア積み作業者。
【図１】
2010022090.tif 000003
【図２】
2010022090.tif 000004
【図３】
2010022090.tif 000005
【図４】
2010022090.tif 000006